(57)【要約】      （修正有）【課題】学校名や学生の名前や住所などを表示するワッペンの悪用を防止することができ、ワッペンの機能を損なうことなく、主として年少の園児や生徒の通学時の安全性を高めることができる学生用の制服及び体操服の提供。【解決手段】学生用の制服や体操服の服本体にワッペン２が取り付けられる。ワッペン２の表面には、学校名と学生の名前と学生の住所との少なくとも一つが記載される表示部２１、２２が設けられ、ワッペン２の裏面には、起毛面ファスナ３が取り付けられる。服本体の表面には、起毛面ファスナ３と着脱可能に係合する起毛面ファスナ４が取り付けられ、登下校時にはワッペン２を服本体１の表面から外して着用する。【選択図】図２
0003110927.tif 000002
【実用新案登録請求の範囲】
【請求項１】
園児生徒が登下校時に着用するワッペンが取り付けられた学生用の制服及び体操服において、
このワッペンの表面には、学校名と学生の名前と学生の住所との少なくとも一つが記載される表示部が設けられ、
ワッペンの裏面には、起毛面ファスナが取り付けられ、
服本体の表面には、上記の起毛面ファスナと着脱可能に係合する起毛面ファスナが取り付けられ、
登下校時にはワッペンを服本体の表面から外して着用するようにしたことを特徴とする着脱可能ワッペン付きの学生用の制服及び体操服。
【請求項２】
服本体の内面に上記のワッペンの起毛面ファスナと着脱可能に係合する起毛面ファスナが取り付けられ、登下校時にはワッペンを服本体の表面から外すと共に、外したワッペンを制服の内面の起毛面ファスナに取り付けるようにしたことを特徴とする請求項１記載の着脱可能ワッペン付きの学生用の制服及び体操服。
【考案の詳細な説明】
【技術分野】
【０００１】
本願考案は、主として園児や生徒が登下校時に着用する着脱可能ワッペン付きの学生用の制服及び体操服に関するものである。
【背景技術】
【０００２】
今日、登下校時の園児や生徒（以下、これらをまとめて学生という）に対するイタズラや犯罪が急増しており、父兄や学校関係者はその対応に苦慮している。他方、制服には、その学校名や学生の名前や住所などを表示するものとして、ワッペンを取り付ける場合がある。ところが、不審者などがイタズラや犯罪目的で学生に近づく場合、そのワッペンの表示を見て、学校名や名前を呼んで学生に安心感を持たせようとする場合がある。年長者にあっては、このような場合にも適切な判断が可能であるが、年少の学生にあっては、警戒感を緩めてしまう場合がある。
【考案の開示】
【考案が解決しようとする課題】
【０００３】
本願考案は、学校名や学生の名前や住所などを表示するワッペンの悪用を防止することができ、ワッペンの機能を損なうことなく、主として年少の園児や生徒の通学時の安全性を高めることができる学生用の制服及び体操服を提供せんとするものである。
【課題を解決するための手段】
【０００４】
本願の請求項１に係る考案は、園児生徒が登下校時に着用するワッペンが取り付けられた学生用の制服及び体操服において、このワッペンの表面には、学校名と学生の名前と学生の住所との少なくとも一つが記載される表示部が設けられ、ワッペンの裏面には、起毛面ファスナが取り付けられ、服本体の表面には、上記の起毛面ファスナと着脱可能に係合する起毛面ファスナが取り付けられ、登下校時にはワッペンを服本体の表面から外して着用するようにしたことを特徴とする学生用の制服及び体操服を提供する。
本願の請求項２に係る考案は、服本体の内面に上記のワッペンの起毛面ファスナと着脱可能に係合する起毛面ファスナが取り付けられ、登下校時にはワッペンを服本体の表面から外すと共に、外したワッペンを服本体の内面の起毛面ファスナに取り付けるようにしたことを特徴とする請求項１記載の学生用の制服及び体操服を提供する。
本願考案において、服本体の表面とは、着用時に服の外部から直接見える部分を言い、服本体の内面とは、服の外部から直接見えない部分を言う。
【考案の効果】
【０００５】
本願考案にあっては、登下校時にはワッペンを服本体の表面から外して着用し、安全な校内などでは、ワッペンを服本体の表面に取り付けることができるものであり、学校名などを表示したワッペンの悪用を防止することができ、ワッペンの機能を損なうことなく、年少の園児や生徒の通学時の安全性を高めることができたものである。
本願の請求項２に係る考案にあっては、登下校時にはワッペンを服本体の表面から外すと共に、外したワッペンを服本体の内面の起毛面ファスナに取り付けるようにしたものであるため、取り外したワッペンを紛失してしまうおそれを少くすることができるものである。
【考案を実施するための最良の形態】
【０００６】
以下、図面に基づき本願考案の実施の形態を説明する。
図１は本願考案の実施の形態に係る学生用の制服の正面図であり、図２は（Ａ）同制服の使用状態を示す要部拡大図であり、（Ｂ）は他の使用状態を示す要部拡大図である。
【０００７】
この制服は、園児生徒が登下校時に着用する学生用の制服であり、この服本体１には、ワッペン２が設けられている。制服のデザインは自由であり、ポロシャツやトレーナー風のものから、ブレザー風のものや防寒着まで、適宜変更して実施し得る。また、学生が団体で着用する体操服として実施してもよい。ワッペン２は、学校名表示部２１と学生の名前表示部２２とを備え、さらに必要に応じて住所表示部を設けてもよい。学校名表示部２１には予め刺繍などによって学校名が表示され、学生の名前表示部２２や住所表示部は、にじみ防止加工が表面に施されており各自が学生の名前や住所を記入して表示するように構成されている。また、名前表示部２２の下には、学校オリジナルのエンブレム２３がプリントなどによって表示されている。このワッペン２の形状は、図示のものの他、円形や四角形など適宜変更でき、素材は不織布などの布製のものが用いられる。ワッペン２の裏面には、その全面に起毛面ファスナ３（この例ではオスの起毛面ファスナ３）が取り付けられている。
【０００８】
他方、服本体１の表面（この例では、胸ポケット１１の表面）には、上記の起毛面ファスナ３と着脱可能に係合する起毛面ファスナ４（この例ではメスの起毛面ファスナ４）が取り付けられている。そして、登下校時にはワッペン２を服本体１の表面から外して着用するようにし、学校内などの安全な場所では、両起毛面ファスナ３、４を係合させて、ワッペン２を服本体１の表面に取り付けて表示する。
【０００９】
また、服本体１の内面（この例では、胸ポケット１１の内部）に上記のワッペン２の起毛面ファスナ３と着脱可能に係合する起毛面ファスナ５（この例ではメスの起毛面ファスナ５）が取り付けられている。これにより、登下校時には外したワッペン２を服本体の内面の起毛面ファスナ５に取り付けることができ、その紛失を防止し得るものである。なお、各起毛面ファスナ３、４、５は、ワッペン２の外周に沿って設けたり、縦又は横方向に２本設けてたり、中央の１カ所に設けるなど、適宜変更して実施できる。
【図面の簡単な説明】
【００１０】
【図１】本願考案の実施の形態に係る通学通園用制服の正面図である。
【図２】（Ａ）同通学通園用制服の使用状態を示す要部拡大図であり、（Ｂ）は他の使用状態を示す要部拡大図である。
【符号の説明】
【００１１】
１    制服
２    ワッペン
３    ワッペンの起毛面ファスナ
４    服本体表面の起毛面ファスナ
５    服本体内面の起毛面ファスナ
【図１】
0003110927.tif 000003
【図２】
0003110927.tif 000004